(57)【要約】【課題】机の甲板の面積を手軽に広くすることができる机の甲板拡張具を提供する。【解決手段】机上棚（机の甲板拡張具）６０は、２つの机５０，５０の甲板５１，５１の間に配置される底板５と、その下面１ｂ，１ｂの中央部１ｃ，１ｃが、底板５の上面５ａの左右の端部に当接されて固定された左右の側板１，１とを備え、これらの側板１，１は、底板５の前後の側面から前方および後方にそれぞれ突出し、下面１ｇ，１ｇが、底板５の上面５ａと略同一の高さとされた支持部１ｆ，１ｆを備えている。【選択図】　　　図４
2004049636.tif 000002
【特許請求の範囲】
【請求項１】
机の甲板の側面側に配置される拡張用板と、前記拡張用板の上面に設けられた支持部材とを備え、前記支持部材は、前記拡張用板の側面から外方に突出し、下端が前記拡張用板の上面と略同一の高さとされた支持部を備えていることを特徴とする机の甲板拡張具。
【請求項２】
前記支持部材の前記支持部は、前記拡張用板の両側面側に設けられていることを特徴とする請求項１に記載の机の甲板拡張具。
【請求項３】
前記拡張用板の上方に延びる仕切り板が設けられていることを特徴とする請求項２に記載の机の甲板拡張具。
【請求項４】
前記仕切り板には、配線用の貫通孔が設けられていることを特徴とする請求項３に記載の机の甲板拡張具。
【請求項５】
前記支持部材の前記支持部は、前記拡張用板の一方の側面側に設けられ、前記拡張用板の他方の側面側には、該拡張用板の上方に延びる背板が設けられていることを特徴とする請求項１に記載の机の甲板拡張具。
【請求項６】
前記支持部材は、前記拡張用板の上方に延びる板状に形成されていることを特徴とする請求項１乃至請求項５のいずれかに記載の甲板拡張具。
【請求項７】
前記支持部材には、配線用の貫通孔が形成されていることを特徴とする請求項６に記載の机の甲板拡張具。
【請求項８】
前記支持部材には、物を載置するための載置板が設けられていることを特徴とする請求項６または請求項７に記載の机の甲板拡張具。
【請求項９】
前記載置板には、配線用の貫通孔が設けられていることを特徴とする請求項８に記載の机の甲板拡張具。
【請求項１０】
前記拡張用板には、配線用の貫通孔が設けられていることを特徴とする請求項１乃至請求項９のいずれかに記載の机の甲板拡張具。
【発明の詳細な説明】
【０００１】
【発明の属する技術分野】
本発明は、机の甲板の面積を広くするための机の甲板拡張具に関する。
【０００２】
【従来の技術】
従来、本や資料等をより多く置くことができるようにする、あるいは広い作業場所を確保することができるようにするなどのために、机の甲板の面積を広くしたい場合には、例えば、キャビネット等を机の側に配置して、キャビネットの上面と机の甲板の上面とを連続した１つの面にしていた。
【０００３】
【発明が解決しようとする課題】
しかしながら、従来の方法では、キャビネット等の大きいものを机の側に配置しなければならないとともに、机の甲板の上面とキャビネット等の上面とを面一にするために、机と同じ高さのキャビネット等を用意しなければならないので、机の甲板の面積を広くする手間がかかるという問題がある。
【０００４】
本発明は、上記事情に鑑みて為されたもので、机の甲板の面積を手軽に広くすることができる机の甲板拡張具を提供することを目的とする。
【０００５】
【課題を解決するための手段】
上記目的を達成するために、請求項１に記載の発明は、机の甲板の側面側に配置される拡張用板と、前記拡張用板の上面に設けられた支持部材とを備え、前記支持部材は、前記拡張用板の側面から外方に突出し、下端が前記拡張用板の上面と略同一の高さとされた支持部を備えていることを特徴とする。
【０００６】
請求項１に記載の発明においては、支持部材の支持部を、机の甲板の上面に載置するとともに、机の甲板の側面と拡張用板の側面とを当接すると、支持部材の支持部の下端が、机の甲板の上面に当接するので、拡張用板の上面と机の甲板の上面とが略面一になって、拡張用板が机の甲板の拡張部分を形成する。
このように、支持部材の支持部を机の甲板の上面に載置するだけで、机の甲板の上面と拡張用板の上面とを略面一にすることができ、拡張用板を机の甲板の拡張部分として用いることができるので、机の甲板の面積を手軽に広くすることができる。
なお、支持部材に、机の甲板に係止する係止部を設け、この係止部を机の甲板に係止させた状態で、支持部材を机の甲板の上面に載置することにより、拡張用板を机の甲板の側面側の位置に支持するようにしても良い。このようにすると、支持部材が机の甲板に係止されるので、この支持部材に支持されている拡張用板に荷重がかかっても、拡張用板が傾かないため、拡張用板の上に電子機器や本等の物を安定して載置することができる。
【０００７】
請求項２に記載の発明は、請求項１に記載の発明において、前記支持部材の前記支持部は、前記拡張用板の両側面側に設けられていることを特徴とする。
【０００８】
請求項２に記載の発明においては、隣り合う机の甲板の間に甲板拡張板を介在させた状態で、支持部材の支持部をそれぞれ、隣り合う机の甲板の上面に載置して、支持部材をこれらの机の甲板の間に掛け渡した状態にした後、各机の甲板の側面をそれぞれ拡張用板の両側面に当接することにより、拡張用板が各机の甲板の拡張部分を形成する。
このように、隣り合う机の甲板の間に掛け渡された支持部材が拡張用板を支持するので、拡張用板に荷重がかかっても、拡張用板が傾かないため、拡張用板の上に物を安定して載置することができる。
【０００９】
請求項３に記載の発明は、請求項２に記載の発明において、前記拡張用板の上方に延びる仕切り板が設けられていることを特徴とする。
【００１０】
請求項３に記載の発明においては、仕切り板を設けているので、隣り合う机の間を仕切ることができるため、隣り合う机の間の目隠しをすることができるとともに、拡張用板の上に載置された物が隣の机の上に移動するのを防止することができる。
【００１１】
請求項４に記載の発明は、請求項３に記載の発明において、前記仕切り板には、配線用の貫通孔が設けられていることを特徴とする。
【００１２】
請求項４に記載の発明においては、仕切り板に配線用の貫通孔が設けられているので、この貫通孔に電気機器のコード等の電気配線を通すことができる。したがって、電気配線をコンセント等に差し込むときに、仕切り板を迂回する必要がないので、拡張用板上に上記電気配線が場所をとることを防止することができ、拡張用板を広く使うことができる。
【００１３】
請求項５に記載の発明は、請求項１に記載の発明において、前記支持部材の前記支持部は、前記拡張用板の一方の側面側に設けられ、前記拡張用板の他方の側面側には、該拡張用板の上方に延びる背板が設けられていることを特徴とする。
【００１４】
請求項５に記載の発明においては、支持部材の支持部を、室内の壁の前に配置された机の甲板の上面に載置し、背板を上記壁の壁面に当接させた後、机の甲板の側面を拡張用板の側面に当接することにより、拡張用板が机の甲板の拡張部分を形成する。
このように、支持部が机の甲板の上面に載置された支持部材と、壁面に当接した背板とにより拡張用板を支持するので、拡張用板に荷重がかかっても、拡張用板が傾かないため、拡張用板の上に物を安定して載置することができる。
【００１５】
請求項６に記載の発明は、請求項１乃至請求項５のいずれかに記載の発明において、前記支持部材は、前記拡張用板の上方に延びる板状に形成されていることを特徴とする。
【００１６】
請求項６に記載の発明においては、支持部材が拡張用板の上方に延びる板状に形成されているので、この支持部材に拡張用板の上面に載置された物を当てることができるため、拡張用板の上面から物が落下するのを防止することができる。
【００１７】
請求項７に記載の発明は、請求項６に記載の発明において、前記支持部材には、配線用の貫通孔が形成されていることを特徴とする。
【００１８】
請求項７に記載の発明においては、板状の支持部材に配線用の貫通孔が設けられているので、この貫通孔に電気配線を通すことができる。したがって、電気配線をコンセント等に差し込むときに、板状の支持部材を迂回する必要がないので、拡張用板上に電気配線が場所をとることを防止することができ、拡張用板を広く使うことができる。
【００１９】
請求項８に記載の発明は、請求項６または請求項７に記載の発明において、前記支持部材には、物を載置するための載置板が設けられていることを特徴とする。
【００２０】
請求項８に記載の発明においては、支持部材に載置板が設けられているので、この載置板に物を載置することができる分、机の甲板および拡張用板により多くの物を載置することができる。
【００２１】
請求項９に記載の発明は、請求項８に記載の発明において、前記載置板には、配線用の貫通孔が設けられていることを特徴とする。
【００２２】
請求項９に記載の発明においては、載置板に配線用の貫通孔が設けられているので、この貫通孔に電気配線を通すことができる。したがって、載置板上に電気配線が場所をとることを防止することができ、載置板を広く使うことができる。
【００２３】
請求項１０に記載の発明は、請求項１乃至９のいずれかに記載の発明において、前記拡張用板には、配線用の貫通孔が設けられていることを特徴とする。
【００２４】
請求項１０に記載の発明においては、拡張用板に配線用の貫通孔が設けられているので、この貫通孔に電気配線を通すことができる。したがって、拡張用板上に電気配線が場所をとることを防止することができ、拡張用板を広く使うことができる。
【００２５】
【発明の実施の形態】
以下、添付した図面を参照しながら本発明の実施の形態を説明する。
図１乃至図４は、本発明の第１実施の形態を示しており、図１は、本実施の形態に係る机上棚の正面図であり、図２は、図１のＡ−Ａ断面図であり、図３は、図１の机上棚の平面図であり、図４は、図１の机上棚が机上に配置された状態を示す側面図である。
【００２６】
図１乃至図３に示すように、机上棚（机の甲板拡張具）６０は、互いに間隔をおいて垂直に配置された木材からなる方形の左右の側板（支持部材）１，１を備えている。図２に示すように、各側板１，１の下部には、配線用の２つの円形状の貫通孔９，９が、後述する仕切り板７の両側に形成されており、これらの貫通孔９，９に電子機器（例えば、パソコン、プリンタ等）のコード等の電気配線を通すようになっている。なお、貫通孔９，９は円形状に形成されているが、これに限定されず、例えば、方形状等であっても良い。
【００２７】
図１に示すように、両側板１，１の上端の間には、木材からなる方形の棚板（載置板）３が水平に掛け渡され、この棚板（天板）３の左右の端部がそれぞれ、各側板１，１の各上面（上端面）１ａ，１ａに、釘やねじ等の固定具あるいは接着剤等により固定されている。したがって、この棚板３により、両側板１，１の上端が連結されている。
【００２８】
図１および図２に示すように、両側板１，１の下端の間には、木材からなる帯状の底板（拡張用板）５が水平に掛け渡され、この底板５の左右の端部がそれぞれ、各側板１，１の各下面（下端面）１ｂ，１ｂの中央部１ｃ，１ｃに、その上面５ａを当接させて、釘やねじ等の固定具あるいは接着剤等により固定されている。したがって、この底板５により、両側板１，１の下端が連結されている。また、両側板１，１のうち底板５の前後の側面から前方および後方に突出した部分が、支持部１ｆ，１ｆを構成している。
図３に示すように、底板５の中央部には、配線用の貫通孔１１が方形状に形成されている。この貫通孔１１の上には、仕切り板７が横切っており、これにより貫通孔１１が２つの部分に区画されている。また、底板５の左端部には、仕切り板７と底板５の前端との間に配線用の貫通孔１３が方形状に形成され、底板５の右端部には、仕切り板７と底板５の後端との間に配線用の貫通孔１５が方形状に形成されている。
【００２９】
図１および図２に示すように、両側板１，１の内側面１ｄ，１ｄに形成された溝１ｅ、１ｅ、棚板３の下面３ａに形成された溝３ｂ、および底板５の上面５ａに形成された溝５ｂにはそれぞれ、木材からなる方形状の仕切り板７の外周端部が挿入されており、これにより机上棚６０が２つの部分に区画されている。この仕切り板７の下端部７ａの中央には、配線用の貫通孔１７が方形状に形成されている。
なお、上記貫通孔１１，１３，１５，１７はそれぞれ方形状に形成されているが、これに限定されず、例えば、円形状等であっても良い。
【００３０】
このように構成された机上棚６０においては、図４に示すように、机上棚６０を隣り合うように配置された２つの机５０，５０の上を跨ぐように設置することにより、これらの机５０，５０の机上棚６０として共用することができる。
より詳しく説明すると、両机５０，５０の甲板５１，５１の間に底板５を介在させた状態で、両側板１，１の支持部１ｆ，１ｆをそれぞれ、両机５０，５０の甲板５１，５１の上面５１ａ，５１ａの両端部に載置して、両側板１，１を両机５０，５０の甲板５１，５１の間に掛け渡した状態にする。その後、底板５の前後の側面にそれぞれ、各机５０，５０の甲板５１，５１の側面を当接して、机上棚６０を両机５０，５０の上に設置する。
【００３１】
このようにすると、各側板１，１の下面１ｂ，１ｂのうち底板５が設けられていない部分、すなわち各側板１，１の支持部１ｆ，１ｆの下面１ｇ，１ｇがそれぞれ、両机５０，５０の甲板５１，５１の上面５１ａ，５１ａに当接するので、底板５の上面５ａと、両机５０，５０の甲板５１，５１の上面５１ａ，５１ａとが略面一になって、底板５が両机５０，５０の甲板５１，５１の拡張部分を形成する。
【００３２】
このような机上棚６０にあっては、両側板１，１の支持部１ｆ，１ｆをそれぞれ、各机５０，５０の甲板５１，５１の上面５１ａ，５１ａに載置するだけで、各机５０，５０の甲板５１，５１の上面５１ａ，５１ａと底板５の上面５ａとを略面一にすることができ、底板５を机５０，５０の甲板５１，５１の拡張部分として用いることができる。したがって、机５０，５０の甲板５１，５１の面積を手軽に広くすることができる。
【００３３】
また、両机５０，５０の甲板５１，５１の間に掛け渡された両側板１，１が底板５の左右の端部を支持するので、底板５に荷重がかかっても、底板５が傾かない。したがって、底板５の上に、パソコンや本等の物を安定して載置することができる。
【００３４】
また、仕切り板７を設けているため、各机５０，５０の間を仕切ることができる。したがって、隣り合う机５０，５０の間の目隠しをすることができるとともに、底板５の上に載置された物が、隣の机の上に移動することを阻止することができる。
【００３５】
また、両側板１，１、底板５および仕切り板７にそれぞれ、配線用の貫通孔９，１１，１３，１５，１７が形成されているので、これらの貫通孔９，１１，１３，１５，１７に電気配線を通すことができるため、電気配線をコンセント等に差し込むために、両側板１，１および仕切り板７を迂回する必要がない。したがって、底板５上に電気配線が場所をとることを防止することができ、底板５を広く使うことができる。
【００３６】
図５は、本発明の第２実施の形態に係る机上棚を示している。なお、本実施の形態において、第１実施の形態と同様な構成要素には同一の符号を付してその説明を簡略化する。
【００３７】
図５に示すように、本実施の形態に係る机上棚６１は、両側板１，１の下面１ｂ，１ｂの奥行き方向の後端部１ｈ，１ｈに、底板５の左右の端部が、その上面５ａを当接させて、釘やねじ等の固定具あるいは接着剤等により固定されている。この場合、両側板１，１のうち底板５の前側面から前方に突出した部分が、支持部１ｊ，１ｊを構成している。
また、これらの側板１，１の後端部１ｋ，１ｋの下部にはそれぞれ、配線用の貫通孔２０が円形状に形成されている。なお、この貫通孔２０は、円形状に形成されているが、これに限定されず、例えば、方形状等に形成されていても良い。また、両側板１，１の後端部１ｋ，１ｋの間には、鉛直方向に延びる背板１９が、その外側面と、底板５の後側面および棚板３の後側面とが略面一になるようにして、釘やねじ等の固定具あるいは接着剤等により固定されている。
【００３８】
このように構成された机上棚６１においては、両側板１，１の支持部１ｊ，１ｊをそれぞれ、室内の壁Ｈの前に配置された机５０の甲板５１の上面５１ａの両端部に載置するとともに、背板１９の外側面を壁Ｈの壁面に当接した後、底板５の前側面に机５０の甲板５１の側面を当接して、机上棚６１を両机５０，５０の上に設置する。
【００３９】
このようにすると、各側板１，１の下面１ｂ，１ｂのうち底板５が設けられていない部分、すなわち各側板１，１の支持部１ｊ，１ｊの下面１ｉ，１ｉが机５０の甲板５１の上面５１ａ，５１ａに当接するので、底板５の上面５ａと、机５０の甲板５１の上面５１ａとが略面一になって、底板５が机５０の甲板５１の拡張部分を形成する。
【００４０】
このような机上棚６１にあっては、各支持部１ｊ，１ｊが机５０の甲板５１の上面５１ａに載置された両側板１，１と、室内の壁Ｈの壁面に当接した背板１９とにより底板５を支持するため、底板５に荷重がかかっても、底板５が傾かない。したがって、底板５の上に、物を安定して載置することができる。
【００４１】
図６および図７は、本発明の第３実施の形態に係る机の甲板拡張具を示している。これらの図６および図７に示すように、本実施の形態に係る甲板拡張具６２は、木材からなる帯状の拡張用板２１と、木材からなる四角柱状の２つの支持部材２３，２３とを概略Ｈ字状に組み立てて構成されている。
すなわち、拡張用板２１の上面２１ａの左右の端部にはそれぞれ、各支持部材２３，２３が、拡張用板２１の長手方向に直交する方向に延びるようにして、かつその下面２３ａ，２３ａの中央部２３ｂ，２３ｂを当接させて、釘やねじ等の固定具あるいは接着剤等により固定されている。この場合、両支持部材２３，２３のうち拡張用板２１の前後の側面から前方および後方に突出した部分が、支持部２３ｃ，２３ｃを構成している。
【００４２】
このように構成された甲板拡張具６２においては、互いに隣り合う２つの机５０，５０の甲板５１，５１の間に拡張用板２１を介在させた状態で、両支持部材２３，２３の支持部２３ｃ，２３ｃをそれぞれ、両机５０，５０の甲板５１，５１の上面５１ａ，５１ａの両端部に載置し、両支持部材２３，２３を両机５０，５０の甲板５１，５１の間に掛け渡した状態にする。その後、拡張用板２１の前後の側面にそれぞれ、各机５０，５０の甲板５１，５１の側面を当接して、甲板拡張具６２を両机５０，５０の上に設置する。
【００４３】
このようにすると、各支持部材２３，２３の下面２３ａ，２３ａのうち拡張用板２１が設けられていない部分、すなわち各支持部材２３，２３の支持部２３ｃ，２３ｃの下面２３ｄ，２３ｄがそれぞれ、両机５０，５０の甲板５１，５１の上面５１ａ，５１ａに当接するので、拡張用板２１の上面５ａと、両机５０，５０の甲板５１，５１の上面５１ａ，５１ａとが略面一になって、拡張用板２１が両机５０，５０の甲板５１，５１の拡張部分を形成する。
【００４４】
このような甲板用拡張具６２にあっては、両支持部材２３，２３の支持部２３ｃ，２３ｃをそれぞれ、各机５０，５０の甲板５１，５１の上面５１ａ，５１ａに載置するだけで、各机５０，５０の甲板５１，５１の上面５１ａ，５１ａと拡張用板２１の上面２１ａとを略面一にすることができ、拡張用板２１を各机５０，５０の甲板５１，５１の拡張部分として用いることができる。したがって、各机５０，５０の甲板５１，５１の面積を手軽に広くすることができる。
【００４５】
また、両机５０，５０の甲板５１，５１の間に掛け渡された両支持部材２３，２３が、拡張用板２１の両端部を支持するので、拡張用板２１に荷重がかかっても、拡張用板２１が傾かない。したがって、拡張用板２１の上に物を安定して載置することができる。
【００４６】
図８および図９は、本発明の第４実施の形態に係る机の甲板拡張具を示している。なお、本実施の形態において、第３実施の形態と同様な構成要素には同一の符号を付してその説明を簡略化する。
【００４７】
図８および図９に示すように、本実施の形態に係る甲板拡張具６３は、拡張用板２１の上面２１ａの左右の端部にそれぞれ、各支持部材２３，２３が、拡張用板２１の長手方向に直交する方向に延びるようにしてかつその下面２３ａ，２３ａの後端部２３ｅ，２３ｅを当接させて、釘やねじ等の固定具あるいは接着剤等により固定されているとともに、拡張用板２１の後側面および両支持部材２３，２３の後端面に、鉛直方向に延びる方形状の背板２５が釘やねじ等の固定具あるいは接着剤等により固定されて、概略Ｌ字状に形成されている。この場合、各支持部材２３，２３の拡張用板２１から前方に突出した部分が、支持部２３ｆ，２３ｆを構成している。
【００４８】
このように構成された甲板拡張具６３においては、各支持部材２３，２３の支持部２３ｆ，２３ｆをそれぞれ、室内の壁Ｈの前に配置された机５０の甲板５１の上面５１ａの両端部に載置するとともに、背板２５の後面を壁Ｈの壁面に当接した後、拡張用板２１の前側面に机５０の甲板５１の側面を当接する。
【００４９】
このようにすると、各支持部材２３，２３の下面２３ｃ，２３ｃのうち拡張用板２１が設けられていない部分、すなわち各支持部材２３，２３の支持部２３ｆ，２３ｆの下面２３ｇ，２３ｇが机５０の甲板５１の上面５１ａに当接するので、拡張用板２１の上面２１ａと、机５０の甲板５１の上面５１ａとが略面一になって、拡張用板２１が机５０の甲板５１の拡張部分を形成する。
【００５０】
このような甲板拡張具６３にあっては、各支持部２３ｆ，２３ｆが机５０の甲板５１の上面５１ａに載置された両支持部材２３，２３と、室内の壁Ｈの壁面に当接した背板２５とにより拡張用板２１を支持するため、拡張用板２１に荷重がかかっても、拡張用板２１が傾かない。したがって、拡張用板２１の上に物を安定して載置することができる。
【００５１】
図１０および図１１は、本発明の第５実施の形態に係る机の甲板拡張具を示している。なお、本実施の形態において、第４実施の形態と同様な構成要素には同一の符号を付してその説明を簡略化する。
【００５２】
図１０に示すように、本実施の形態に係る机の甲板拡張具６４は、背板２５が設けられていないとともに、両支持部材２３，２３の支持部２３ｆ，２３ｆの下面２３ｇ，２３ｇに、机５０の甲板５１の端部に係止する断面が略Ｃ字状の細長い板状の係止部２７，２７を、各支持部材２３，２３の長手方向に沿って延びるように設けたことのみが第４実施の形態と異なる。
【００５３】
このように構成された甲板拡張具６４においては、図１１に示すように、甲板拡張具６４を、机５０の甲板５０の側面側から矢印Ｂ方向に移動することにより、両係止部材２３，２３の支持部２３ｆ，２３ｆの下面２３ｇ，２３ｇが、机５０の甲板５１の上面５１ａの両端部に当接するとともに、机５０の甲板５１の両端部がそれぞれ、係止部２７，２７の内側に嵌合する。そして、拡張用板２１の前側面を机５０の甲板５１の側面に当接することにより、拡張用板２１が机５０の甲板５１の拡張部分を形成する。
【００５４】
このような甲板拡張具６４にあっては、各係止部２７，２７が机５０の甲板５１の両端部に嵌合することにより、拡張用板２１が机５０の甲板５１に係止されるので、拡張用板２１に荷重がかかっても、拡張用板２１が傾かない。したがって、拡張用板２１の上に物を安定して載置することができる。
【００５５】
本発明は、上述した実施の形態に限定されず、その要旨を逸脱しない範囲内において、種々の変形が可能である。
例えば、第１実施の形態の机上棚６０においては、両側板１，１と、棚板３と、底板５と、仕切り板７とを木材で構成したが、これに代えて、これらの部材を金属や樹脂等で構成しても良い。この場合、両側板１，１と棚板３と底板５と仕切り板７とを、一体に成形するようにしてもよい。これは第２実施の形態に係る机上棚６１についても同様である。
【００５６】
同様に、第３実施の形態に係る甲板拡張具６２においても、この甲板拡張具６２を構成する拡張用板２１および各支持部材２３，２３とを、金属や樹脂等の材料で構成しても良く、またこれらを一体に成形するようにしても良い。これは、第４および第５実施の形態に係る甲板拡張具６３，６４についても同様である。
【００５７】
また、第１および第２実施の形態において、両側板１，１の間に、単数または複数の棚板を設けるようにしても良い。この場合、これらの棚板に配線用の貫通孔を形成するようにしても良い。
【００５８】
また、第３実施の形態において、拡張用板２１の上方に延びる仕切り板を設けるようにしても良い。この場合、仕切り板に配線用の貫通孔を形成するようにしても良い。
【００５９】
また、第３乃至第５実施の形態において、拡張用板２１に配線用の貫通孔を形成するようにしても良い。
【００６０】
また、第３乃至第５実施の形態に係る甲板拡張具６２，６３，６４においては、四角柱状の支持部材２３を用いているが、これに代えて、例えば、円柱状あるいは鉛直方向に延びる板状等の支持部材を用いるようにしても良い。この板状の支持部材を用いた場合には、この支持部材に拡張用板２１の上面２１ａに載置された物を当てることができるので、拡張用板２１の上面２１ａから物が落下するのを防止することができる。
さらには、板状の支持部材に、物を載置するための載置板を設けるようにしても良い。このようにすると、上記載置板の上に物を載置することができる分だけ、机５０の甲板５１の上面５１ａおよび拡張用板２１の上面２１ａに、より多くの物を載置することができる。
【００６１】
また、上記机上棚６０，６１あるいは甲板拡張具６２，６３，６４において、机上棚６０，６１あるいは甲板拡張具６２，６３，６４を机５０に上述のように設置した後、側板（支持部材）１あるいは支持部材２３等を机５０や壁Ｈ等に、固定具等により固定するようにしても良い。
【００６２】
【発明の効果】
以上説明したように、請求項１に記載の発明によれば、支持部材の支持部を机の甲板の上面に載置するだけで、机の甲板の上面と拡張用板の上面とを面一にすることができる。したがって、拡張用板を机の甲板の拡張部分として用いることができ、机の甲板の面積を手軽に広くすることができる。
【００６３】
請求項２に記載の発明によれば、請求項１に記載の発明と同様な効果を奏するとともに、拡張用板は、隣り合う机の甲板の間に掛け渡された支持部材に支持されるため、拡張用板に荷重がかかっても、拡張用板が傾くのを防止することができ、拡張用板の上に物を安定して載置することができる。
【００６４】
請求項３に記載の発明によれば、請求項２に記載の発明と同様な効果を奏するとともに、仕切り板を設けているので、隣り合う机の間を仕切ることができる。したがって、隣り合う机の間の目隠しをすることができるとともに、拡張用板の上に載置された物が隣の机の上に移動するのを防止することができる。
【００６５】
請求項４に記載の発明によれば、請求項３に記載の発明と同様な効果を奏するとともに、仕切り板に配線用の貫通孔が設けられているので、この貫通孔に電気機器のコード等の電気配線を通すことができるため、電気配線をコンセント等に差し込むときに、仕切り板を迂回する必要がない。これにより拡張用板上に上記電気配線が場所をとることを防止することができ、拡張用板を広く使うことができる。
【００６６】
請求項５に記載の発明によれば、請求項１に記載の発明と同様な効果を奏するとともに、拡張用板は、支持部が机の甲板の上面に載置された支持部材と、壁面に当接した背板とにより支持されているので、拡張用板に荷重がかかっても、拡張用板が傾くのを防止することができ、拡張用板の上に物を安定して載置することができる。
【００６７】
請求項６に記載の発明によれば、請求項１乃至請求項５のいずれかに記載の発明と同様な効果を奏するとともに、支持部材が拡張用板の上方に延びる板状に形成されているため、この支持部材に拡張用板の上面に載置された物を当てることができ、拡張用板の上面から物が落下するのを防止することができる。
【００６８】
請求項７に記載の発明によれば、請求項６に記載の発明と同様な効果を奏するとともに、板状の支持部材に配線用の貫通孔が設けられているので、この貫通孔に電気配線を通すことができるため、電気配線をコンセント等に差し込むときに、板状の支持部材を迂回する必要がない。これにより拡張用板上に電気配線が場所をとることを防止することができ、拡張用板を広く使うことができる。
【００６９】
請求項８に記載の発明によれば、請求項６または請求項７に記載の発明と同様な効果を奏するとともに、支持部材に載置板が設けられているので、机の甲板および拡張用板により多くの物を載置することができる。
【００７０】
請求項９に記載の発明によれば、請求項８に記載の発明と同様な効果を奏するとともに、載置板に配線用の貫通孔が設けられているので、この貫通孔に電気配線を通すことができるため、載置板上に電気配線が場所をとることを防止することができ、載置板を広く使うことができる。
【００７１】
請求項１０に記載の発明によれば、請求項１乃至９のいずれかに記載の発明と同様な効果を奏するとともに、拡張用板に配線用の貫通孔が設けられているので、この貫通孔に電気配線を通すことができるため、拡張用板上に電気配線が場所をとることを防止することができ、拡張用板を広く使うことができる。
【図面の簡単な説明】
【図１】本発明の第１実施の形態に係る机上棚を示す正面図である。
【図２】図２の机上棚のＡ−Ａ断面図である。
【図３】図１の机上棚の平面図である。
【図４】図１の机上棚が机の上に設置された状態を示す側面図である。
【図５】本発明の第２実施の形態に係る机上棚が机の上に設置された状態を示す側面図である。
【図６】本発明の第３実施の形態に係る机の甲板拡張具が机の上に設置された状態を示す斜視図である。
【図７】図６の机の甲板拡張具が机の上に設置された状態を示す側面図である。
【図８】本発明の第４実施の形態に係る机の甲板拡張具が机の上に設置された状態を示す斜視図である。
【図９】図８の机の甲板拡張具が机の上に設置された状態を示す側面図である。
【図１０】本発明の第５実施の形態に係る机の甲板拡張具が机の上に設置された状態を示す斜視図である。
【図１１】図１０の机の甲板拡張具の机に対する取り付けを説明する図である。
【符号の説明】
１　　側板（支持部材）
１ｆ，１ｊ　支持部
３　　棚板（載置板）
５　　底板（拡張用板）
５ａ　上面
７　　仕切り板
９，１１，１３，１５，１７，２０　貫通孔
１９，２５　背板
２１　拡張用板
２１ａ　上面
２３　支持部材
２３ｃ，２３ｆ　支持部
５０　机
５１　甲板
６０，６１　机上棚（甲板拡張具）
６２，６３，６４　甲板拡張具
【図１】
2004049636.tif 000003
【図２】
2004049636.tif 000004
【図３】
2004049636.tif 000005
【図４】
2004049636.tif 000006
【図５】
2004049636.tif 000007
【図６】
2004049636.tif 000008
【図７】
2004049636.tif 000009
【図８】
2004049636.tif 000010
【図９】
2004049636.tif 000011
【図１０】
2004049636.tif 000012
【図１１】
2004049636.tif 000013